(57)【特許請求の範囲】
【請求項１】
壁配筋をユニット化した壁メッシュ筋としたうえ、互いの溝底を所定間隔をもって背を向け合わせた一対のチャンネルを鉄骨とし、上端筋を省略した態様でスターラップを組み付けた梁筋を組み、該チャンネル間に縦貫スリットを設けたＳＲＣプレキャストコンクリート梁の縦貫スリットに、梁部を貫通する上端のみに横筋を付けたユニット化した重ね継手筋を持ち込みして、これを介して下位壁メッシュ筋の対上梁定着と上位壁メッシュ筋のアンカー定着部形成と前記スターラップ上端筋の補完をしたうえで、スラブ、梁、壁部のコンクリート一体打設をなすとしたＳＲＣプレキャストコンクリート梁を用いた耐力壁構築方法。
【請求項２】
下端をアンカー用に垂下させた以外はすべてブレース状にしたユニット化した壁メッシュ筋を架構壁面部に持ち込みし、互いの溝底を所定間隔をもって背を向け合わせた一対のチャンネルを鉄骨とし、上端筋を省略した態様でスターラップを組み付けた梁筋を組み、該チャンネル間に縦貫スリットを設けたＳＲＣプレキャストコンクリート梁の縦貫スリットに梁部を貫通する両端を屈曲させた重ね継手筋を持ち込みして、これを介しての結果によって下位壁メッシュ筋の対上梁定着と上位壁メッシュ筋のアンカー定着部形成をし、壁メッシュ筋同志の接続は添筋の結束に由り、対柱部への定着にはくの字添筋の結束に由り定着させたうえで、スラブ、梁、壁部のコンクリート一体打設をなすとしたＳＲＣプレキャストコンクリート梁を用いた耐力壁構築方法。
【請求項３】
両側面型枠間中央に配置のスターラップ下端筋通過用のコンクリート漏れ阻止用軟質舌片シール付きスリットを付形の中抜き用台座上に、予め該スリットを介してスターラップ上端筋を省略した梁配筋を設置した後に互いの溝底を所定の間隔をもって背を向け合わせた梁鉄骨代替用の一対のチャンネルを載置し、しかる後、両端面型枠と該一対のチャンネル間にコンクリートを打設し、固化後、該中抜き用台座並びに両側面型枠を解体するとした互いの溝底を所定間隔をもって背を向け合わせた一対のチャンネルを鉄骨とし、上端筋を省略した態様でスターラップを組み付けた梁筋を組み、該チャンネル間に縦貫スリットを設けるとしたＳＲＣプレキャストコンクリート梁の製造方法。
【発明の詳細な説明】
【０００１】
【発明の属する技術分野】
本発明は、ホテル、集合住宅等の間仕切壁及び隔壁等の耐力壁構築用のＳＲＣプレキャストコンクリート梁とこれを用いた耐力壁構築方法および当該プレキャストコンクリート梁の製造方法に関する。
【０００２】
【従来の技術】
ホテル、集合住宅等の間仕切壁及び、隔壁には躯体構造上の地震時有効な耐力壁としての機能と、居住空間としての遮音性能が要求される。
両機能を満足させる為には、構造的にＳＲＣ又は、ＲＣ造が最適であるが、互いに取り合うこととなる梁，壁部の型枠，配筋工事は、現場工数比率が他の柱，床部に比べて、非常に高い。
【０００３】
ちなみに、壁芯と梁芯とがぴったりと一致した最も理想的な間仕切壁及び隔壁等の耐力壁をＳＲＣ梁のもとで現場施工で構築しようとすると図６の如くなる。すなわち、梁１芯に鉄骨２が在るために壁配筋３の上端は該鉄骨２を避けて折り曲げられて側方に沿わされて定着されねばならない。
この梁型枠８内での壁筋３の上端の定着処理は極めて煩わしい。
【０００４】
この要領のもと、他のスラブ配筋４、上階の壁配筋５、梁配筋６、下階の壁配筋３を組み、スラブ型枠７、梁型枠８、壁型枠９にコンクリート１０が打設されてなる。かかる壁芯を梁芯に合わせる場合の梁型枠８の支持は、支保工を壁型枠９の面前に多数立ち上げねばならず、型枠の組立、解体に手間がかかると共に作業スペースを著しく狭ばめる。
【０００５】
このため、型枠の組立、解体が省略される各部位毎のプレキャスト化が図られており、梁部をプレキャスト化してすることもなされている。
すなわち、ＳＲＣプレキャストコンクリート梁のもとでの間仕切壁及び隔壁等の耐力壁の構築は、図７，図８に示される。
図７において、ＳＲＣプレキャストコンクリート梁１１は、鉄骨２の上フランジ２ａレベルより下にのみコンクリート１０’が打設されて上弦主筋１１ａ，…部が対スラブ１２との取り合いのために露出し、かつ、該鉄骨２の下フランジ２ｂ下には、壁鉄筋接続用インサート１３，…が予め埋設され成る。
【０００６】
当該インサート１３へは壁配筋３はネジ込みにて装着されるもので、壁配筋３は縦，横筋共に一本毎に持ち込みの現場組立てとなる。
天端を閉塞された壁型枠９には側方に開口のコンクリート注入口１４にホース１５を接続させてコンクリート１０”が圧入される。
機構上ＳＲＣプレキャストコンクリート梁１１との打継面への完全なる充填は困難である。
【０００７】
図８に示すものは該インサート１３の対ＳＲＣプレキャストコンクリート梁１１への定着効果をより高めたもので、前記の鉄骨２を一対のチャンネル２’，２’を互いの溝底を所定の間隔をもって背を向け合わせたものに置き換え、当該チャンネル２’，２’の間にインサート１３，１３より導引のアンカー１３ａ，１３ａを定着させたものである。
【０００８】
チャンネル２’，２’なる分割化は、アンカー１３ａの梁鉄骨との一体化のための取付基盤提供が目的である。
【０００９】
【発明が解決しようとする課題】
叙上の従来のＳＲＣプレキャストコンクリート梁のもとでの耐力壁構築手段にあっては、いずれにしてもインサートの取り付けが煩わしくコストがかかるうえ、壁配筋３（縦）を１本１本インサート１３にネジ込みにて装着せねばならぬため現場組み立てによるしかなく、ユニット化されて現場組み立てを不要としたメッシュ筋の持ち込み装着は不可能であるためコスト高とならざるを得ない。
【００１０】
また、対プレキャストコンクリート梁打継面のコンクリート充填不良は耐力壁として重大な欠陥である。
本発明はかかる事情のもとになされたもので、その目的とするところは、壁配筋のユニット化されたメッシュ化と対プレキャストコンクリート梁打継面のコンクリート充填不良解消とを実現したＳＲＣプレキャストコンクリート梁のもとでの耐力壁構築手段を提供することにある。
【００１１】
【課題を解決するための手段】
上記目的を達成するために、本発明のＳＲＣプレキャストコンクリート梁は、互いの溝底を所定間隔をもって背を向け合わせた一対のチャンネルを鉄骨とし、上端筋を省略した態様でスターラップを組み付けた梁筋を組み、該チャンネル間に縦貫スリットを設けるとしたものである。
【００１２】
本発明の上記のＳＲＣプレキャストコンクリート梁を用いた耐力壁構築方法は、壁配筋をユニット化した壁メッシュ筋としたうえ、当該ＳＲＣプレキャストコンクリート梁の縦貫スリットに梁部を貫通する上端のみに横筋を付けたユニット化した重ね継手筋を持ち込みして、下位壁メッシュ筋の対上梁定着と上位壁メッシュ筋のアンカー定着部形成をしたうえで、スラブ，梁，壁部のコンクリート一体打設をなすとしたものである。
【００１３】
また、下端をアンカー用に垂下させた以外はすべてブレース状にしたユニット化した壁メッシュ筋を架構壁面部に持ち込みし、該ＳＲＣプレキャストコンクリート梁の縦貫スリットに梁部を貫通する両端を屈曲させた重ね継手筋を持ち込みして、下位壁メッシュ筋の対上梁定着と上位壁メッシュ筋のアンカー定着部形成をし、壁メッシュ筋同志の接続は添筋の結束に由り、対柱部への定着にはくの字添筋の結束に由り定着させたうえで、スラブ，梁，壁部のコンクリート一体打設をなすとしたものである。
【００１４】
本発明の上記のＳＲＣプレキャストコンクリート梁の製造方法は、両側面型枠間中央に配置のスターラップ下弦筋通過用のコンクリート漏れ阻止用軟質舌片シール付きスリットを付形の中抜き用台座上に、予め該スリットを介してスターラップ上端筋を省略した梁配筋を設置した後に互いの溝底を所定の間隔をもって背を向け合わせた梁鉄骨代替用の一対のチャンネルを載置し、しかる後、両側面型枠と該一対のチャンネル間にコンクリートを打設し、固化後、該中抜き用台座並びに両側面型枠を解体するとしたものである。
【００１５】
【作用】
本発明のＳＲＣプレキャストコンクリート梁の梁芯に形成の縦貫スリットは、梁直下に芯を一致させた理想的な耐力壁の一体形成を可能とする。
すなわち、特公昭６２−３３９２５号公報に紹介のＲＣプレキャストコンクリート梁と同じことをＳＲＣプレキャストコンクリート梁のもとで鉄骨の障害を解消して可能とする。
【００１６】
つまり、図９に示す如く前記ＲＣプレキャストコンクリート梁１６は、所定位置に横架され、その下面に梁芯に耐力壁の壁芯が一致するように、同壁の型枠９を組立てるとともに、型枠９内に配筋された壁配筋３の上端を梁芯に形成の縦貫スリット１７に嵌入せしめ、同縦貫スリット１７を介して耐力壁Ａ’のコンクリート１０を打設するとともに、縦貫スリット１７にもコンクリートを填装して同コンクリート中に前記壁配筋３を碇着せしめ、かくして耐力壁Ａ’と梁１６とを一体的に結合するものである。
【００１７】
なお図中１６ａは梁上弦主筋、１８は梁１６とスラブ１９との間に填装された接合コンクリートである。
本発明にあっては、梁芯に鉄骨が存在するという障害を克服して上記のＲＣプレキャストコンクリート梁と同様に梁芯に縦貫スリットを形成したので、この定着部が自由空間であることを利用して壁配筋にユニット化したところの壁メッシュ筋を採用したうえで、梁部を貫通する重ね継手筋の持ち込みが可能となり、壁配筋作業における大幅な現場工数比率の低減とコンクリートの充填不良の解消が実現する。
【００１８】
なお、ユニット化したメッシュ筋をブレース状に組むとすると、ブレース状の応力伝達が可能となり、耐力上極めて有利となる。
また、本発明ＳＲＣプレキャストコンクリート梁の製造は、上記ＲＣプレキャストコンクリート梁１６の如く煩わしさがなくなる。
すなわち、ＲＣプレキャストコンクリート梁１６の製造工程は図１０ａ〜ｅに示され、型枠２０内に梁鉄筋２１の配筋を行うとともに、同型枠２０を横置する。なお図中２２は下端筋、２３は助筋で、同助筋２３の両端部は型枠２０の外側に突出している（ａ図参照）。
【００１９】
次いで型枠２０の底部にコンクリート２４を打設して一側部梁躯体を成型し（ｂ図参照）、次いで同打設コンクリート２４上に間隔を存して型枠２０内に水平ラス、メッシュ等の金網２５を張設し（ｃ図参照）、次いで同金網２５上にコンクリート２６を打設して他側部梁躯体を成型し（ｄ図参照）、しかるのち養生脱型して、前記両打設コンクリート２４，２６によって梁の一側部躯体２７ａ及び他側部梁躯体２７ｂが成型され、同両躯体２７ａ，２７ｂ間に梁の長手方向に亘り中心軸線に沿って梁の上下面を貫通する縦貫スリット１７が形成され、且つ前記助筋２３の両端部が前記各躯体２７ａ，２７ｂの上端面より突出するＲＣプレキャストコンクリート梁１６が製造されるのである（ｅ図参照）。
【００２０】
以上の如く、型枠の反転、コンクリートの打継ぎという煩わしさがあるが、本発明のＳＲＣプレキャストコンクリート梁製造にあっては、鉄骨に代わる一対のチャンネルと中抜き用台座が内型枠となるために型枠の反転やラス張り不要にして唯１回のコンクリート打設で済む。
【００２１】
【発明の実施の形態】
本発明の実施の形態を図１〜５に基づいて説明する。
本発明のＳＲＣプレキャストコンクリート梁２８は図１に示される如く、既述した図８の鉄骨に代わる一対のチャンネル２’，２’間に縦貫スリット２９が形成されたものに相当する。この結果、図９のＲＣプレキャストコンクリート梁１６と同様に梁芯に耐力壁構成に有利な縦貫空間（縦貫スリット２９）が在ることとなる。
【００２２】
当該縦貫スリット２９中には、梁筋３０がスターラップ３１の上端筋３１ｂを省略しているので、両側のコンクリートブロック２８ａ，２８ｂを一体に結合するために渡架のスターラップ下端筋３１ａが存在するだけ（上端筋３１ｂは後で渡架される。）のため、後で持ち込まれる上位の壁メッシュ筋３４に先き立って上端にのみ横筋３３ａを付けたメッシュ体としてユニット化された重ね継手筋３３を差し入れさせることができる。
【００２３】
しかして、下位の壁メッシュ筋３２と重ね継手筋３３下部との間の重ね部３５にあっては、壁メッシュ筋３２上部の横筋３２ａ，…を介した結束で一体化がなされる。
一方、重ね継手筋３３上部重ね部３６にあっては、持ち込まれる上位の壁メッシュ筋３４の下部横筋無しのアンカー部と横筋３３ａを介した結束で一体化がなされる。
【００２４】
この取合いの詳細を図１の矢視２を示す図２に示す。
図示の如く、壁メッシュ筋３２ならびに３４同志の接合は縦筋省略側端と縦筋を備えた側端間のラップ結束に由り、また、対柱部３７定着は差し筋３８，…の結束に由る。
図中３９は梁部を示す。
【００２５】
しかして、壁配筋の大幅なプレキャスト化がなされ、現場工数比率の低下は著しいものとなる。壁部の縦貫スリット２９を介したコンクリート４０の打設は、充填不良を解消する。
叙上の壁メッシュ筋３２，３４はいずれも縦横筋を前提として説明したが、これをブレース状で製するとすると、応力伝達の理想型である斜め伝達を実現することができる。
【００２６】
すなわち、図３，４において、下端のみをアンカー用に垂下させるがそれ以外の上部はすべてブレース状としたユニット化した壁メッシュ筋４１，…を持ち込みし、図４に詳示の如く壁メッシュ筋４１同志の接続は添筋４２，…の結束に由り、対柱部３７への定着にはくの字添筋４３，…の結束に由り、対梁部３９についての定着には上位の壁メッシュ筋のアンカーを形成する両端屈曲の重ね継手筋４４，…の結束に由ることで、ブレース状配筋の壁筋が実現される。
【００２７】
本発明ＳＲＣプレキャストコンクリート梁２８の製造方法を図５に基づいて説明する。
ａ図において、両側面型枠４５，４５間中央に、スターラップ下端筋３１ａ，…通過用コンクリート漏れ阻止用軟質舌片シール付きスリット４６，…を付形した中抜き用台座４７を配したうえスターラップ上端筋を省略した梁筋３０を該スリット４６を介して装着し、次いで、当該台座４７上に前記の一対のチャンネル２’，２’を載置する。
【００２８】
図中４８は安定用のための仮設のスペーサーである。
該両側面型枠４５，４５と一対のチャンネル２’，２’並びに台座４７との間に形成の一対の縦溝部４９，４９にコンクリート５０，５０を打設し、固化後、両側面型枠４５，４５と台座４７を撤去すれば、ｂ図に示される如き本発明のＳＲＣプレキャストコンクリート梁２８が製せられる。
【００２９】
図中５１は梁端に付設されるガセットプレートである。
チャンネル２’，２’と台座４７が内型枠となるので型枠の反転，ラスの張設の必要もなく、コンクリートの打ち継ぎも必要がない。
【００３０】
【発明の効果】
以上の如く本発明は構成されるので、ＳＲＣプレキャストコンクリート梁採用のもとで、大幅なコスト低減と理想形の壁配筋のブレース化をなし得る。
【図面の簡単な説明】
【図１】本発明ＳＲＣプレキャストコンクリート梁とこれを用いてなる耐力壁構成を示す縦断図である。
【図２】図１中矢視２の詳細拡大図である。
【図３】本発明のユニット化されたブレース状壁メッシュ筋を用いた耐力壁構築方法の説明図である。
【図４】図３中囲線４部の拡大詳示図である。
【図５】ａ，ｂは本発明ＳＲＣプレキャストコンクリート梁の製造工程説明図である。
【図６】従来のＳＲＣ梁のもとでの耐力壁構築要領説明図である。
【図７】従来のＳＲＣプレキャストコンクリート梁のもとでの耐力壁構築要領説明図である。
【図８】従来のＳＲＣプレキャストコンクリート梁のもとでの耐力壁構築要領説明図である。
【図９】従来のＲＣプレキャストコンクリート梁のもとでの耐力壁構築要領説明図である。
【図１０】ａ〜ｅは従来のＲＣプレキャストコンクリート梁の製造工程説明図である。
【符号の説明】
１    梁
２    鉄骨
２ａ  上フランジ
２ｂ  下フランジ
２’  チャンネル
３    壁配筋
４    スラブ配筋
５    壁配筋
６    梁配筋
７    スラブ型枠
８    梁型枠
９    壁型枠
１０  コンクリート
１１  ＳＲＣプレキャストコンクリート梁
１２  スラブ
１３  インサート
１３ａアンカー
１４  コンクリート注入口
１５  ホース
１６  ＲＣプレキャストコンクリート梁
１６ａ梁上弦主筋
１７  縦貫スリット
１８  梁
１９  スラブ
２０  型枠
２１  梁鉄筋
２２  下端筋
２３  助筋
２４  コンクリート
２５  金網
２６  コンクリート
２７ａ一側部躯体
２７ｂ他側部躯体
２８  ＳＲＣプレキャストコンクリート梁
２８ａコンクリートブロック
２８ｂコンクリートブロック
２９  縦貫スリット
３０  梁箱
３１  スラーラップ
３１ａスラーラップ下端筋
３１ｂスラーラップ上端筋
３２  壁メッシュ筋
３２ａ横筋
３３  重ね継手筋
３３ａ横筋
３４  壁メッシュ筋
３５  重ね部
３６  重ね部
３７  柱部
３８  差し筋
３９  梁部
４０  コンクリート
４１  壁メッシュ筋
４２  添筋
４３  くの字添筋
４４  継手筋
４５  両側面型枠
４６  スリット
４７  台座
４８  仮設スペース
４９  縦溝部
５０  コンクリート
５１  梁端
【図１】
0003646178.tif 000002
【図２】
0003646178.tif 000003
【図３】
0003646178.tif 000004
【図４】
0003646178.tif 000005
【図５】
0003646178.tif 000006
【図６】
0003646178.tif 000007
【図７】
0003646178.tif 000008
【図８】
0003646178.tif 000009
【図９】
0003646178.tif 000010
【図１０】
0003646178.tif 000011